(57)【要約】【課題】検鏡者の所望する任意な位置に、スイッチを着脱可能に配置・固定することを可能とする顕微鏡装置を提供する。【解決手段】操作を制御する制御手段と、前記制御手段の制御のもとで機能に応じた動作を行う機能手段１８と、前記制御手段に接続され、機能手段１８の動作を指示する信号を入力するスイッチ２０とを備えた顕微鏡装置１において、スイッチ２０は、前記信号を入力するスイッチ部２０ａと、スイッチ部２０ａが設けられる面と異なる面に設けられ、該顕微鏡装置本体１と着脱自在に係合する係合部と、を備えることを特徴とする。【選択図】図６
2011221103.tif 000002
【特許請求の範囲】
【請求項１】
操作を制御する制御手段と、前記制御手段の制御のもとで機能に応じた動作を行う機能手段と、前記制御手段に接続され、前記機能手段の動作を指示する信号を入力するスイッチとを備えた顕微鏡装置において、
前記スイッチは、
前記信号を入力するスイッチ部と、
前記スイッチ部が設けられる面と異なる面に設けられ、該顕微鏡装置本体と着脱自在に係合する係合部と、
を備えることを特徴とする顕微鏡装置。
【請求項２】
前記係合部は磁石であり、前記顕微鏡装置本体は磁性を有する素材で形成されるか、または前記顕微鏡装置本体に磁性を有する素材が貼り付けられることを特徴とする請求項１に記載の顕微鏡装置。
【請求項３】
前記係合部は面ファスナーであり、前記顕微鏡装置本体には前記係合部の面ファスナーと係合する別の面ファスナーが貼り付けられることを特徴とする請求項１に記載の顕微鏡装置。
【請求項４】
前記磁性を有する素材または前記面ファスナーは、前記顕微鏡装置本体の焦準ハンドルの近傍に貼り付けられることを特徴とする請求項２または３に記載の顕微鏡装置。
【請求項５】
前記磁性を有する素材または前記面ファスナーの前記顕微鏡装置本体への貼り付け位置を、検鏡者により変更可能とすることを特徴とする請求項２〜４のいずれか一つに記載の顕微鏡装置。
【請求項６】
前記機能手段は撮影装置であり、前記スイッチは前記撮影装置の操作信号を出力することを特徴とする請求項１〜５のいずれか一つに記載の顕微鏡装置。
【請求項７】
前記機能手段は電動レボルバであり、前記スイッチは前記電動レボルバの操作信号を出力することを特徴とする請求項１〜５のいずれか一つに記載の顕微鏡装置。
【請求項８】
前記機能手段は光学素子切換手段であり、前記スイッチは前記光学素子切換手段の操作信号を出力することを特徴とする請求項１〜５のいずれか一つに記載の顕微鏡装置。
【請求項９】
前記スイッチの軸方向の高さが変更可能であることを特徴とする請求項１〜８のいずれか一つに記載の顕微鏡装置。
【請求項１０】
前記スイッチの軸方向の高さは、焦準ハンドルの軸方向の高さ以下であることを特徴とする請求項１から９のいずれか一つに記載の顕微鏡装置。
【請求項１１】
前記スイッチは、前記スイッチ部を保持する第１保持部と、前記第１保持部に螺合され、前記係合部を保持する第２保持部とを備え、前記第１保持部と前記第２保持部との螺合の度合いを調整することによって、前記スイッチの軸方向の高さを変更可能であることを特徴とする請求項９または１０に記載の顕微鏡装置。
【請求項１２】
前記スイッチの前記係合部は複数の磁石を厚さ方向に積層するものであり、前記係合部に着磁する磁石の個数を変更することにより、前記スイッチの軸方向の高さを変更可能であることを特徴とする請求項９または１０に記載の顕微鏡装置。
【請求項１３】
顕微鏡装置に取り付けられる撮影装置のスイッチであって、
該スイッチは、信号を入力するスイッチ部と、前記スイッチ部が設けられる面と異なる面に設けられ、該顕微鏡装置本体と着脱自在に係合する係合部と、前記スイッチ部によって入力された信号を送信するケーブルと、前記ケーブルの先端に形成されたモジュラジャックと、
を備え、前記顕微鏡装置にモジュラジャックを介して接続されるとともに、前記係合部による前記顕微鏡装置本体への取り付け位置が変更可能であることを特徴とする顕微鏡撮影装置の操作スイッチ。
【請求項１４】
信号を入力するスイッチ部と、前記スイッチ部が設けられる面と異なる面に設けられ、該顕微鏡装置本体と着脱自在に係合する係合部と、前記スイッチ部によって入力された信号を送信するケーブルと、前記ケーブルの先端に形成されたモジュラジャックと、を有する顕微鏡装置本体に取り付けられる撮影装置のスイッチと、
前記スイッチの前記係合部と係合するスイッチ係合手段と、
を備えることを特徴とするスイッチ着脱キット。
【請求項１５】
前記スイッチ係合手段は、前記スイッチの前記係合部と係合する係合面と、前記係合面の裏面に塗布される接着剤と、前記接着剤の表面を覆う剥離シートと、を有することを特徴とする請求項１４に記載のスイッチ着脱キット。
【発明の詳細な説明】
【技術分野】
【０００１】
本発明は、各部の機能を操作する信号を入出力するスイッチを備え、該スイッチが顕微鏡装置の顕微鏡装置本体に着脱可能である顕微鏡、およびスイッチならびにスイッチ着脱キットに関するものである。
【背景技術】
【０００２】
従来、レボルバを正逆回転させるモータと、該モータに正逆回転の信号を送信するレボルバ切換スイッチとを備える顕微鏡であって、顕微鏡の両側面に正回転用のレボルバ切換スイッチと、逆回転用のレボルバ切換スイッチとを、それぞれ一対備え、各スイッチを特定の配置とすることにより、顕微鏡で異なる倍率の対物レンズで観察を行なう際の検鏡者の使い勝手を向上するものが開示されている（たとえば、特許文献１参照）。
【０００３】
また、電気回路を備える顕微鏡装置において、電気信号を送信する複数のスイッチを、微粗動ハンドルの近傍の特定の位置に配置することにより操作性を向上させる技術も開示されている（たとえば、特許文献２参照）。
【０００４】
さらに、複数の撮影モードを有する顕微鏡用撮影装置において、スイッチを異なる操作パターンで操作することにより、操作パターンに応じた撮影モードで顕微鏡撮影を行う技術が開示されている（たとえば、特許文献３参照）。
【先行技術文献】
【特許文献】
【０００５】
【特許文献１】特開平１０−３３３０１７号公報
【特許文献２】実開平１−１５７３０８号公報
【特許文献３】特開平１０−２２１７３２号公報
【発明の概要】
【発明が解決しようとする課題】
【０００６】
しかしながら、特許文献１および２においては、スイッチは一般的な検鏡者の使い勝手を考慮した上で顕微鏡本体に固定して配置されるものであるため、検鏡者によっては、指の長さの個人差により、スイッチまで指が届かないことや、逆にスイッチが近すぎて指を折り曲げて縮めないとスイッチを押せないことがある。そのため、手全体を動かす動作が必要になり、長時間作業する場合、疲労が大きくなり作業の効率も低下する。
【０００７】
また、特許文献３の顕微鏡撮影装置においては、スイッチは焦準ハンドル周りに配置できないため、検鏡者が焦準ハンドルを操作し観察標本にピントを合わせた後、手全体を動かしてスイッチを押す動作が必要になる。さらに、観察状態からスイッチを押す際にスイッチの位置を確認する動作も必要になる。そのため、長時間作業する場合、疲労が大きくなり作業の効率も低下する。
【０００８】
本発明は、上記に鑑みてなされたものであって、検鏡者各人が所望する任意の位置に、顕微鏡が備える各機能手段の操作信号を出力するスイッチを着脱可能に配置・固定することにより、観察状態を中止することなく、スイッチ操作を可能とする顕微鏡装置、およびスイッチならびにスイッチ着脱キットを提供することを目的とする。
【課題を解決するための手段】
【０００９】
上述した課題を解決し、目的を達成するために、本発明の顕微鏡装置は、操作を制御する制御手段と、前記制御手段の制御のもとで機能に応じた動作を行う機能手段と、前記制御手段に接続され、前記機能手段の動作を指示する信号を入力するスイッチとを備えた顕微鏡装置において、前記スイッチは、前記信号を入力するスイッチ部と、前記スイッチ部が設けられる面と異なる面に設けられ、該顕微鏡装置本体と着脱自在に係合する係合部と、を備えることを特徴とする。
【００１０】
また、本発明の顕微鏡装置は、上記発明において、前記係合部は磁石であり、前記顕微鏡装置本体は磁性を有する金属で形成されるか、または前記顕微鏡装置本体に磁性を有する金属が貼り付けられることを特徴とする。
【００１１】
また、本発明の顕微鏡装置は、上記発明において、前記係合部は面ファスナーであり、前記顕微鏡装置本体には前記係合部の面ファスナーと係合する別の面ファスナーが貼り付けられることを特徴とする。
【００１２】
また、本発明の顕微鏡装置は、上記発明において、前記磁性を有する金属または前記面ファスナーは、前記顕微鏡装置本体の焦準ハンドルの近傍に貼り付けられることを特徴とする。
【００１３】
また、本発明の顕微鏡装置は、上記発明において、前記磁性を有する金属または前記面ファスナーの前記顕微鏡装置本体への取り付け位置を、検鏡者により変更可能とすることを特徴とする。
【００１４】
また、本発明の顕微鏡装置は、上記発明において、前記機能手段は撮影装置であり、前記スイッチは前記撮影装置の操作信号を出力することを特徴とする。
【００１５】
また、本発明の顕微鏡装置は、上記発明において、前記機能手段は電動レボルバであり、前記スイッチは前記電動レボルバの操作信号を出力することを特徴とする。
【００１６】
また、本発明の顕微鏡装置は、上記発明において、前記機能手段は光学素子切換手段であり、前記スイッチは前記光学素子切換手段の操作信号を出力することを特徴とする。
【００１７】
また、本発明の顕微鏡装置は、上記発明において、前記スイッチの軸方向の高さが変更可能であることを特徴とする。
【００１８】
また、本発明の顕微鏡装置は、上記発明において、前記スイッチの軸方向の高さは、焦準ハンドルの軸方向の高さ以下であることを特徴とする。
【００１９】
また、本発明の顕微鏡装置は、上記発明において、前記スイッチは、前記スイッチ部を保持する第１保持部と、前記第１保持部に螺合され、前記係合部を保持する第２保持部とを備え、前記第１保持部と前記第２保持部との螺合の度合いを調整することによって、前記スイッチの軸方向の高さを変更可能であることを特徴とする。
【００２０】
また、本発明の顕微鏡装置は、上記発明において、前記スイッチの前記係合部は複数の磁石を厚さ方向に積層するものであり、前記係合部に着磁する磁石の個数を変更することにより、前記スイッチの軸方向の高さを変更可能であることを特徴とする。
【００２１】
また、本発明のスイッチは、顕微鏡装置に取り付けられる撮影装置のスイッチであって、該スイッチは、信号を入力するスイッチ部と、前記スイッチ部が設けられる面と異なる面に設けられ、該顕微鏡装置の顕微鏡装置本体と着脱自在に係合する係合部と、前記スイッチ部によって入力された信号を送信するケーブルと、前記ケーブルの先端に形成されたモジュラジャックと、を備え、前記顕微鏡装置にモジュラジャックを介して接続されるとともに、前記係合部による前記顕微鏡装置本体への取り付け位置が変更可能であることを特徴とする。
【００２２】
また、本発明の操作スイッチ着脱キットは、信号を入力するスイッチ部と、前記スイッチ部が設けられる面と異なる面に設けられ、該顕微鏡装置の顕微鏡装置本体と着脱自在に係合する係合部と、前記スイッチ部によって入力された信号を送信するケーブルと、前記ケーブルの先端に形成されたモジュラジャックと、を有する顕微鏡装置に取り付けられる撮影装置のスイッチと、前記スイッチの前記係合部と係合するスイッチ係合手段と、を備えることを特徴とする。
【００２３】
また、本発明のスイッチ着脱キットは、上記発明において、前記スイッチ係合手段は、前記レリーズスイッチの前記係合部と係合する係合面と、前記係合面の裏面に塗布される接着剤と、前記接着剤の表面を覆う剥離シートと、を有することを特徴とする。
【発明の効果】
【００２４】
本発明にかかる顕微鏡装置、およびスイッチならびにスイッチ着脱キットは、検鏡者各人の所望する任意な位置にスイッチを着脱可能に配置・固定することができるため、観察状態を中止することなく、スイッチ操作を行うことができる。これにより、検鏡者の疲労を低減するとともに、作業効率を向上することが可能となる。
【図面の簡単な説明】
【００２５】
【図１】図１は、実施の形態１にかかる顕微鏡装置の概略構成を示す図である。
【図２】図２は、実施の形態１の顕微鏡装置で使用するスイッチの斜視図である。
【図３】図３は、図２のスイッチを反対側からみた斜視図である。
【図４】図４は、実施の形態１の顕微鏡装置で使用するシートの平面図である。
【図５】図５は、図４のシートの断面図である。
【図６】図６は、実施の形態１にかかる顕微鏡装置を正面右側からみた斜視図である。
【図７】図７は、実施の形態１の顕微鏡装置の制御の構成を示すブロック図である。
【図８】図８は、実施の形態１の変形例１にかかる顕微鏡装置を正面左側からみた斜視図である。
【図９】図９は、実施の形態１の変形例２にかかる顕微鏡装置を正面右側からみた斜視図である。
【図１０】図１０は、実施の形態２にかかる顕微鏡装置の概略構成を示す図である。
【図１１】図１１は、実施の形態２にかかる顕微鏡装置を正面左側からみた斜視図である。
【図１２】図１２は、実施の形態２にかかる顕微鏡装置を正面右側からみた斜視図である。
【図１３】図１３は、実施の形態２の顕微鏡装置の制御の構成を示すブロック図である。
【図１４】図１４は、実施の形態３にかかるスイッチの断面図である。
【図１５】図１５は、実施の形態３の変形例にかかるスイッチの断面図である。
【図１６】図１６は、実施の形態４にかかるスイッチの断面図である。
【発明を実施するための形態】
【００２６】
以下に、本発明にかかる顕微鏡装置の実施の形態を図面に基づいて詳細に説明する。なお、本発明は、これらの実施の形態に限定されるものではなく、本発明の要旨を逸脱しない範囲で種々の変更が可能である。
【００２７】
（実施の形態１）
図１は、本発明の実施の形態１にかかる顕微鏡装置１００の概略構成を示す図である。顕微鏡装置１００は、対象標本Ｓが載置されるステージ３と、側面視略コの字状を有し、ステージ３を支持するとともにレボルバ１４を介して対物レンズ１３を保持する顕微鏡本体１と、顕微鏡本体１の底部後方（図１の右方）に配設された光源５と、顕微鏡本体１の上部に載置された鏡筒１５とを備える。また、鏡筒１５には、対象標本Ｓの標本像を目視観察するための接眼レンズ１７と、対象標本Ｓの標本像を撮像するための撮影装置１８と、顕微鏡装置１００内で電動駆動される各部の処理および動作を制御する制御部１９（図７参照）と、を備える。
【００２８】
顕微鏡装置１００は、上面に対象標本Ｓが載置されたステージ３を、上下方向に移動させるための焦準ハンドル４を備えている。焦準ハンドル４を時計回り、または、反時計回りに回転することにより、ステージ３を上下方向に移動させて、対象標本Ｓの観察を行なう。
【００２９】
レボルバ１４は、顕微鏡本体１に対して回転自在に保持され、対物レンズ１３を対象標本Ｓの上方に配置する。対物レンズ１３は、レボルバ１４に対して倍率（観察倍率）の異なる他の対物レンズとともに交換自在に装着されており、レボルバ１４の回転に応じて観察光の光路上に挿入されて対象標本Ｓの観察に用いる対物レンズ１３が択一的に切り換えられるようになっている。
【００３０】
顕微鏡本体１は、底部において対象標本Ｓを透過照明するための照明光学系を内設している。この照明光学系は、光源５から射出された照明光を集光するコレクタレンズ６、照明系フィルタユニット７、視野絞り８、開口絞り９、照明光の光路を対物レンズ１３の光軸に沿って偏向させる折曲げミラー１０、光学素子切換ユニット１１、トップレンズユニット１２等が、照明光の光路に沿って適所に配置されて構成される。光源５から射出された照明光は、照明光学系によって対象標本Ｓに照射され、観察光として対物レンズ１３に入射する。
【００３１】
鏡筒１５は、観察光の光路を切り換えて接眼レンズ１７または撮影装置１８へと導くビームスプリッタ１６を内設している。対象標本Ｓの標本像は、このビームスプリッタ１６によって接眼レンズ１７内に導入され、接眼レンズ１７を介して検鏡者に目視観察される。あるいは撮影装置１８によって撮像される。撮影装置１８は、標本像（詳細には対物レンズ１３の視野範囲）を結像するＣＣＤやＣＭＯＳ等の撮像素子を備えて構成され、標本像を撮像する。
【００３２】
また、顕微鏡装置１００は、接眼レンズ１７を介した対象標本Ｓの観察に基づき、検鏡者が撮影装置１８により対象標本Ｓの撮影を行うスイッチ２０を備える。図２および図３にスイッチの斜視図を示す。図２および図３に示すように、スイッチ２０は、円柱形状をなし、撮影信号を入力するスイッチ部２０ａと、顕微鏡装置本体１に貼り付けられたシート２１（図４等参照）と磁力により係合する係合部２０ｂと、スイッチ２０ａからの信号を顕微鏡装置１００の撮影装置１８に送信するケーブル２０ｃと、スイッチ部２０ａおよび係合部２０ｂ等を保持するスイッチ本体２０ｄと、顕微鏡本体の図示しないジャックに差し込むためのモジュラジャック（図示しない）とを備える。係合部２０ｂは、磁石であって、スイッチ本体２０ｄのスイッチ部２０ａが取り付けられる面と異なる面に設けられる。
【００３３】
顕微鏡装置本体１に貼り付けられるシート２１は、図５および図６に示すように、円板上であって、スイッチ２０の係合部２０ｂが係合する金属板２１ａと、金属板２１ａの裏面に一様に塗布された接着剤２１ｂと、接着剤２１ｂの表面を覆う剥離シート２１ｃと、を備える。検鏡者は、検鏡者本人の使い勝手を考慮した位置に、剥離シート２１ｃを剥離したシート２１を貼り付ける。金属板２１ａは例えば鉄、コバルト、ニッケルなどの磁性を有する素材（強磁性体）により形成されており、貼り付けた金属シート２１上に磁力によりスイッチ２０を着磁することにより、顕微鏡装置本体１が磁性を有する素材（強磁性体）で形成されておらず、例えばアルミニウム合金により形成されていたとしても、顕微鏡装置本体１における検鏡者の所望の位置にスイッチ２０を取り付けることが可能になる。
【００３４】
シート２１およびスイッチ２０の顕微鏡装置本体１への取り付け例を図６に示す。図６は、実施の形態１にかかる顕微鏡装置１００を正面右側からみた斜視図である。図６に示す顕微鏡装置１００は、シート２１を２枚貼り付けているが、１枚でもよく、また、３枚以上であってもよい。シート２１を、顕微鏡装置本体１の焦準ハンドル４の近傍に貼り付けることにより、焦準ハンドル４の操作をしながら、焦準ハンドル４から手を離すことなくスイッチ部２０ａを押圧することにより、撮影信号を送信することが可能となる。また、焦準ハンドル４の操作を行いながらスイッチ２０を押圧する場合は、スイッチ２０の軸方向の高さは、焦準ハンドル４の軸方向の高さ以下であることが好ましい。なお、図６では、顕微鏡装置１００の正面右側にスイッチ２０を取り付ける例を示しているが、検鏡者の所望により正面左側に取り付けてもよい。
【００３５】
制御部１９は、ＣＰＵ等によって実現され、撮影装置１８およびスイッチ２０等に電気的に接続されている。図７は、実施の形態１の顕微鏡装置１００の制御の構成を示すブロック図である。図７に示すように、制御部１９は、スイッチ２０から送信された撮影信号を撮影装置１８に送信することにより、対象標本Ｓの撮影を行うよう制御する。なお、制御部１９を介することなく、スイッチ２０のモジュラジャックを撮影装置１８に直接接続して、撮影装置が備える制御部に撮影信号を送信してもよい。
【００３６】
上記のように構成される顕微鏡装置１００は、検鏡者の所望の位置にシート２１を貼り付けて、シート２１上にスイッチ２０を取り付けることが可能となる。そのため、検鏡者は、観察状態を中止することなく、スイッチ２０の押圧操作を行うことができ、これにより、長時間観察を行う場合において、検鏡者の疲労を低減するとともに、作業効率を向上することが可能となる。
【００３７】
なお、実施の形態１のシート２１は、スイッチ２０の形状に合わせて円板状として複数個所に貼り付けているが、図８に示す実施の形態１の変形例１の顕微鏡装置１００Ａのように、方形状のシート２１Ａを貼り付けることにより、シート２１Ａ上の所望の位置にスイッチ２０を取り付けるようにしてもよい。
【００３８】
さらに、図９に示す実施の形態１の変形例２の顕微鏡装置１００Ｂのように、顕微鏡装置本体１Ｂを、磁性を有する素材（強磁性体）で形成することにより、シートを貼り付けることなしに、スイッチ２０を顕微鏡装置本体１Ｂの所望の位置に取り付けることが可能になる。
【００３９】
（実施の形態２）
実施の形態２にかかる顕微鏡装置２００は、図１０に示すように、電動レボルバ２１４と、電動光学素子切換ユニット２１１とを備え、さらに、撮影装置１８用の第１スイッチ２０Ａに加え、電動レボルバ２１４の回動を制御する第２スイッチ２０Ｂと、電動光学素子切換ユニット２１１の回動を制御する第３スイッチ２０Ｃとを有する。図１０は、実施の形態２にかかる顕微鏡装置２００の概略構成を示す図である。
【００４０】
第１スイッチ２０Ａは、実施の形態１のスイッチ２０と同様の構成を有し、検鏡者がスイッチ部２０ａを押圧することにより、撮影装置１８の撮影信号が制御部２１９に送信される。
【００４１】
第２スイッチ２０Ｂは、実施の形態１のスイッチ２０と同様の構成を有し、検鏡者がスイッチ部２０ａを押圧することにより、電動レボルバ２１４の駆動信号が制御部２１９に送信される。
【００４２】
第３スイッチ２０Ｃは、実施の形態１のスイッチ２０と同様の構成を有し、検鏡者がスイッチ部２０ａを押圧することにより、電動光学素子切換ユニット２１１の駆動信号が制御部２１９に送信される。
【００４３】
電動レボルバ２１４はモータ２１５を有し、このモータ２１５は、制御部２１９を介し第２スイッチ２０Ｂから送信された駆動信号に基づき回動動作される。
【００４４】
電動光学素子切換ユニット２１１は、明視野観察用、暗視野観察用、偏光観察用、微分干渉観察用、ならびに蛍光観察用等の光学素子キューブを複数備え、検鏡者が所望する光学素子キューブを観察光の光路上に配置することにより、明視野観察、暗視野観察、偏光観察、微分干渉観察、ならびに蛍光観察を行なう。電動光学素子切換ユニット２１１は、モータ２１２を有し、このモータ２１２は、制御部２１９を介し第３スイッチ２０Ｃから送信された駆動信号に基づき回動動作される。
【００４５】
図１１は、実施の形態２にかかる顕微鏡装置２００を正面左側からみた斜視図である。図１２は、実施の形態２にかかる顕微鏡装置２００を正面右側からみた斜視図である。図１１および図１２に示すように、第１スイッチ２０Ａおよび第２スイッチ２０Ｂは、顕微鏡装置本体１の左側側面の焦準ハンドル４の近傍に取り付けられ、第３スイッチ２０Ｃは、顕微鏡装置本体１の右側側面の焦準ハンドル４の近傍に取り付けられる。シート２１は、実施の形態１と同様に、検鏡者の所望する位置に貼り付ければよく、貼り付けたシート２１に第１スイッチ２０Ａ、第２スイッチ２０Ｂおよび第３スイッチ２０Ｃをそれぞれ係合させることにより、第１スイッチ２０Ａ、第２スイッチ２０Ｂおよび第３スイッチ２０Ｃを、検鏡者の所望位置に取り付けることが可能となる。実施の形態２では、第１スイッチ２０Ａおよび第２スイッチ２０Ｂを顕微鏡装置本体１の左側側面に取り付け、第３スイッチ２０Ｃを顕微鏡装置本体１の右側側面に取り付けているが、各スイッチの取り付け位置はこれに限定されるものではなく、例えば、第１スイッチ２０Ａを顕微鏡装置本体１の左側側面に、第２スイッチ２０Ｂおよび第３スイッチ２０Ｃを顕微鏡装置本体１の右側側面に取り付ける等、各スイッチは検鏡者の所望の位置に取り付けることが可能である。
【００４６】
図１３は、実施の形態２の顕微鏡装置２００の制御の構成を示すブロック図である。制御部２１９は、第１スイッチ２０Ａから送信された撮影信号を撮影装置１８に、第２スイッチ２０Ｂから送信された駆動信号を電動レボルバ２１４に、第３スイッチ２０Ｃからの駆動信号を電動光学素子切換ユニット２１１にそれぞれ送信する。また、制御部２１９は記憶部２１９ａを備える。記憶部２１９ａは、制御部２１９が電動レボルバ２１４から取得した対物レンズ情報、および、制御部２１９が電動光学素子切換ユニット２１１から取得した光学素子情報を記憶する。対物レンズ情報とは、現在観察光路上に配置される対物レンズに関する情報であり、光学素子情報とは、現在観察光路上に配置される光学素子キューブに関する情報である。制御部２１９は、第１スイッチ２０Ａから送信された撮影信号を撮影装置１８に送信する際、撮影信号とともに記憶部２１９ａに記憶される対物レンズ情報および光学素子情報を送信する。撮影装置１８は、撮影する写真に受信した対物レンズ情報および光学素子情報を印字することにより、観察撮影時の情報を明示することが可能となる。
【００４７】
上述したように、実施の形態２にかかる顕微鏡装置２００は、検鏡者の所望の位置に複数のシート２１を貼り付けることにより、貼り付けたシート２１上に第１スイッチ２０Ａ、第２スイッチ２０Ｂおよび第３スイッチ２０Ｃを取り付けることが可能となる。そのため、検鏡者は、観察状態を中止することなく、第１スイッチ２０Ａ、第２スイッチ２０Ｂおよび第３スイッチ２０Ｃの押圧操作を行うことができ、これにより、長時間観察を行う場合においても、検鏡者の疲労を低減するとともに、作業効率を向上することが可能となる。
【００４８】
なお、実施の形態２にかかる顕微鏡装置２００は、撮影装置１８の撮影信号を送信する第１スイッチ２０Ａ、電動レボルバ２１４の駆動信号を送信する第２スイッチ２０Ｂ、および電動光学素子切換ユニット２１１の駆動信号を送信する第３スイッチ２０Ｃと、を備えるが、これは例示であって、本発明はこれに限定されるものではない。したがって、本発明は、顕微鏡装置が備える各部の機能に対応するスイッチの組合せ、たとえば、撮影装置１８の撮影信号を送信する第１スイッチ２０Ａと電動レボルバ２１４の駆動信号を送信する第２スイッチ２０Ｂとを備える顕微鏡装置や、撮影装置１８の撮影信号を送信する第１スイッチ２０Ａと電動光学素子切換ユニット２１１の駆動信号を送信する第３スイッチ２０Ｃとを備える顕微鏡装置、または、電動レボルバ２１４の駆動信号を送信する第２スイッチ２０Ｂのみを備える顕微鏡装置、あるいは顕微鏡装置が備える機能手段であって、電気信号でその駆動を制御しうる機能手段への信号を送信するスイッチと上述したスイッチとの組合せであってよく、顕微鏡装置本体への各種スイッチの取り付け位置を、検鏡者の所望に応じて自由に変更しうる構成とすればよい。
【００４９】
（実施の形態３）
実施の形態３にかかるスイッチは、検鏡者の使い勝手に対応してスイッチの軸方向の高さを変更しうる構造を採用している。
【００５０】
図１４は、実施の形態３にかかるスイッチ１２０の断面図である。スイッチ１２０は、スイッチ部２０ａと、磁石からなる係合部２０ｂと、操作信号を送信するケーブル２０ｃとを備える点で実施の形態１および２のスイッチと同様であるが、スイッチ本体が、スイッチ部２０ａを保持する第１保持部１２０ａと、係合部２０ｂを保持する第２保持部１２０ｂからなる点で異なる。
【００５１】
第１保持部１２０ａは、内部空洞の円柱形状をなし、円柱端部でスイッチ部２０ａを保持し、他端は開放される。第１保持部１２０ａの胴部である円柱形の内周面に雌ネジ部１２０ｃが形成されている。
【００５２】
第２保持部１２０ｂは、内部空洞の円柱形状をなし、円柱端部に係合部２０ｂが形成され、他端は開放される。第２保持部１２０ｂの胴部である円柱形の外周面に雄ネジ部１２０ｄが形成されている。そして、この雄ネジ部１２０ｄと雌ネジ部１２０ｃとを螺合するように構成されている。
【００５３】
検鏡者は、顕微鏡装置本体１の所望の位置にシート２１を貼り付けるとともに、スイッチ１２０の雄ネジ部１２０ｄと雌ネジ部１２０ｃと螺合の度合いを調整して、スイッチ部２０ａを押圧しやすい高さにスイッチ１２０の軸方向の高さを調整することができる。実施の形態３では、スイッチ１２０の顕微鏡装置本体１への取り付け位置を自由に変更できるだけでなく、簡易な構成で、スイッチ１２０の軸方向の高さも調整することが出来るので、観察による検鏡者の疲労を大幅に低減することができるだけでなく、作業効率をより一層向上することが可能となる。
【００５４】
さらにまた、図１５に示す実施の形態３の変形例１のスイッチ２２０のように、スイッチ部２０ａを保持する第１保持部２２０ａの胴部外周面に雄ネジ部２２０ｃを形成し、係合部２０ｂが形成される第２保持部２２０ｂの胴部内周面に雌ネジ部２２０ｄを形成して、
この雄ネジ部２２０ｃと雌ネジ部２２０ｄとを螺合する構成としてもよい。
【００５５】
（実施の形態４）
実施の形態４にかかるスイッチは、実施の形態３のスイッチと同様に、検鏡者の使い勝手に対応してスイッチの軸方向の高さを変更しうる構造を採用している。
【００５６】
図１６は、実施の形態４にかかるスイッチ３２０の断面図である。スイッチ３２０は、スイッチ部２０ａと、操作信号を送信するケーブル２０ｃと、スイッチ部２０ａ等を保持するスイッチ本体２０ｄとを備える点で実施の形態１および２のスイッチと同様であるが、シート２１と着磁する係合部３２０ｂが、複数の磁石３２０ｂ−１、３２０ｂ−２および３２０ｂ−３を積層してなる点で異なる。
【００５７】
磁石３２０ｂ−１、３２０ｂ−２および３２０ｂ−３は、スイッチ３２０の直径より小さい円板状の同一形状の磁石である。磁石３２０ｂ−１は、スイッチ本体２０ｄに保持固定されているが、磁石３２０ｂ−２および３２０ｂ−３は、各磁石の磁力により着磁されており、スイッチ３２から着脱可能である。
なお、磁石３２０ｂ−１、３２０ｂ−２および３２０ｂ−３は、スイッチ３２０の直径より小さい円板状の同一形状の磁石としたが、これに限定されず、スイッチ３２０の直径と同等や、大きい円板状の同一形状の磁石であってもよい。また、スイッチ３２０の直径と同一形状としたが、同一形状でなくてもよい。更に、磁石３２０ｂ−１、３２０ｂ−２および３２０ｂ−３の高さは、全て同じであっても、それぞれ高さが異なるようにしてもよい。
【００５８】
検鏡者は、顕微鏡装置本体１の所望の位置にシート２１を貼り付けるとともに、スイッチ３２０の係合部３２０ｂへの磁石３２０ｂ−２および３２０ｂ−３の着脱を行うことにより、スイッチ部２０ａを押圧しやすい高さにスイッチ３２０の軸方向の高さを調整することができる。実施の形態４では、実施の形態３と同様に、スイッチ３２０の顕微鏡装置本体１への取り付け位置を自由に変更できるだけでなく、簡易な構成でスイッチ３２０の軸方向の高さも調整することが出来るので、観察による検鏡者の疲労を大幅に低減することができるだけでなく、作業効率をより一層向上することができる。
【産業上の利用可能性】
【００５９】
以上のように、本発明にかかる顕微鏡装置は、撮影装置等の電子制御可能な機能手段を備える顕微鏡に有用である。
【符号の説明】
【００６０】
１  顕微鏡本体
３  ステージ
４  焦準ハンドル
５  光源
６  コレクタレンズ
７  照明系フィルタユニット
８  視野絞り
９  開口絞り
１０  折曲げミラー
１１  光学素子切換ユニット
１２  トップレンズユニット
１３  対物レンズ
１４  レボルバ
１５  鏡筒
１６  ビームスプリッタ
１７  接眼レンズ
１８  撮影装置
１９、２１９  制御部
２０  スイッチ
２０ａ  スイッチ部
２０ｂ  係合部
２０ｃ  ケーブル
２０ｄ  スイッチ本体
２１  シート
【図１】
2011221103.tif 000003
【図２】
2011221103.tif 000004
【図３】
2011221103.tif 000005
【図４】
2011221103.tif 000006
【図５】
2011221103.tif 000007
【図６】
2011221103.tif 000008
【図７】
2011221103.tif 000009
【図８】
2011221103.tif 000010
【図９】
2011221103.tif 000011
【図１０】
2011221103.tif 000012
【図１１】
2011221103.tif 000013
【図１２】
2011221103.tif 000014
【図１３】
2011221103.tif 000015
【図１４】
2011221103.tif 000016
【図１５】
2011221103.tif 000017
【図１６】
2011221103.tif 000018